(57)【要約】  本開示は、少なくとも２つの表示スロットを含み、各表示スロットが１つのオンライン商品を表示する、商品棚にオンライン商品を表示する方法であって、表示待ちのオンライン商品と、前記オンライン商品の優先度とを取得し、前記商品棚の前記表示スロットの注目順位に基づき、優先度の高いオンライン商品を高い注目順位が付けられている位置の表示スロットに表示し、前記表示スロットの前記注目順位は、前記商品棚の視覚中心と表示スロットとの距離に基づいて特定され、前記商品棚の前記視覚中心は、商品棚の表示領域の左上隅の黄金分割点である方法を提供する。ユーザの検索シナリオに適用する場合、本開示の技術的解決案は、ユーザの要請により合致するオンライン商品をユーザの注目をより集める位置に表示することができ、よって、ユーザは必要とするオンライン商品をより迅速に探し出すことができる。ユーザの検索効率が向上し、検索結果も改善される。
2019500697.tif 000002
【特許請求の範囲】
【請求項１】
少なくとも２つの表示スロットを備え、各表示スロットが１つのオンライン商品を表示する、商品棚にオンライン商品を表示する方法であって：
表示待ちのオンライン商品と、前記オンライン商品の優先度とを取得するステップと；
前記商品棚の前記表示スロットの注目順位に基づき、優先度の高いオンライン商品を高い注目順位が付けられている位置の表示スロットに表示するステップであって、前記表示スロットの前記注目順位は、前記商品棚の視覚中心と表示スロットとの距離に基づいて特定され、前記商品棚の前記視覚中心は、商品棚表示領域の左上隅の黄金分割点である、優先度の高いオンライン商品を高い注目順位が付けられている位置の表示スロットに表示するステップと；を備える、
商品棚にオンライン商品を表示する方法。
【請求項２】
前記表示スロットの前記注目順位は、前記商品棚の前記視覚中心と前記表示スロットとの距離、並びに前記商品棚の前記表示スロットへの注目度に基づいて特定される、
請求項１に記載の方法。
【請求項３】
前記表示スロットの前記注目順位は：
前記商品棚の前記視覚中心と前記表示スロットとの距離に基づいて各表示スロットの第１基準値を特定するステップと；
前記商品棚の前記表示スロットへの注目度の実験データに基づいて各表示スロットの第２基準値を取得するステップと；
各表示スロットに対する前記第１基準値と前記第２基準値との加重和に基づいて前記表示スロットの順位付けを行うステップと；により特定される、
請求項２に記載の方法。
【請求項４】
前記商品棚は、
前記表示スロットが３×３で配置され、前記表示スロットに対して、１行２列の表示スロット、２行２列の表示スロット、３行２列の表示スロット、１行１列の表示スロット、１行３列の表示スロット、２行１列の表示スロット、２行３列の表示スロット、３行１列の表示スロット、３行３列の表示スロットの順で降順に注目度の順位付けが行われる、９格子式矩形商品棚；
前記表示スロットが２×４で配置され、前記表示スロットに対して、１行２列の表示スロット、１行３列の表示スロット、２行２列の表示スロット、２行３列の表示スロット、１行１列の表示スロット、１行４列の表示スロット、２行１列の表示スロット、２行４列の表示スロットの順で降順に注目度の順位付けが行われる、８格子式矩形商品棚；及び／又は
前記表示スロットが３×２で配置され、前記表示スロットに対して、１行１列の表示スロット、１行２列の表示スロット、２行１列の表示スロット、２行２列の表示スロット、３行１列の表示スロット、３行２列の表示スロットの順で降順に注目度の順位付けが行われる、６格子式矩形商品棚；を備える、
請求項２に記載の方法。
【請求項５】
前記商品棚の前記視覚中心と前記表示スロットとの距離は、前記商品棚の前記視覚中心と前記表示スロットの幾何中心との距離からなる、
請求項１に記載の方法。
【請求項６】
前記商品棚の前記表示スロットの配置構造は、表示画面のアスペクト比に基づいて特定される、
請求項１乃至請求項５のいずれか１項に記載の方法。
【請求項７】
前記商品棚の前記表示スロットの前記配置構造は：
前記表示画面の前記アスペクト比が第１比率範囲内である場合、前記表示スロットは３×３の９格子式矩形商品棚を用いて配置され；
前記表示画面の前記アスペクト比が第２比率範囲内である場合、前記表示スロットは２×４の８格子式矩形商品棚を用いて配置され；
前記表示画面の前記アスペクト比が前記第１比率範囲と前記第２比率範囲のいずれにも属さない場合、前記表示スロットは３×２の６格子式矩形商品棚を用いて配置される；との条件に基づいて特定され、前記第１比率範囲と前記第２比率範囲とは重複しない、
請求項６に記載の方法。
【請求項８】
少なくとも２つの表示スロットを備え、各表示スロットが１つのオンライン商品を表示する、商品棚にオンライン商品を表示する装置であって：
表示待ちのオンライン商品と、前記オンライン商品の優先度とを取得する商品優先度取得部と；
前記商品棚の前記表示スロットの注目順位に基づき、優先度の高いオンライン商品を高い注目順位が付けられている位置の表示スロットに表示する商品表示部と；を備え、
前記表示スロットの前記注目順位は、前記商品棚の視覚中心と表示スロットとの距離に基づいて特定され、前記商品棚の前記視覚中心は、商品棚の表示領域の左上隅の黄金分割点である、
商品棚にオンライン商品を表示する装置。
【請求項９】
前記表示スロットの前記注目順位は、前記商品棚の前記視覚中心と前記表示スロットとの距離、並びに前記商品棚の前記表示スロットへの注目度に基づいて特定される、
請求項８に記載の装置。
【請求項１０】
前記表示スロットの前記注目順位は：
前記商品棚の前記視覚中心と前記表示スロットとの距離に基づいて各表示スロットの第１基準値を特定し；
前記商品棚の前記表示スロットへの注目度の実験データに基づいて各表示スロットの第２基準値を取得し；
各表示スロットに対する前記第１基準値と前記第２基準値との加重和に基づいて前記表示スロットを順位付けする；ことにより特定される、
請求項９に記載の装置。
【請求項１１】
前記商品棚は：
前記表示スロットが３×３で配置され、前記表示スロットに対して、１行２列の表示スロット、２行２列の表示スロット、３行２列の表示スロット、１行１列の表示スロット、１行３列の表示スロット、２行１列の表示スロット、２行３列の表示スロット、３行１列の表示スロット、３行３列の表示スロットの順で降順に注目度の順位付けが行われる、９格子式矩形商品棚；
前記表示スロットが２×４で配置され、前記表示スロットに対して、１行２列の表示スロット、１行３列の表示スロット、２行２列の表示スロット、２行３列の表示スロット、１行１列の表示スロット、１行４列の表示スロット、２行１列の表示スロット、２行４列の表示スロットの順で降順に注目度の順位付けが行われる、８格子式矩形商品棚；及び／又は
前記表示スロットが３×２で配置され、前記表示スロットに対して、１行１列の表示スロット、１行２列の表示スロット、２行１列の表示スロット、２行２列の表示スロット、３行１列の表示スロット、３行２列の表示スロットの順で降順に注目度の順位付けが行われる、６格子式矩形商品棚；を備える、
請求項９に記載の装置。
【請求項１２】
前記商品棚の前記視覚中心と前記表示スロットとの距離は、前記商品棚の前記視覚中心と前記表示スロットの幾何中心との距離からなる、
請求項８に記載の装置。
【請求項１３】
前記商品棚の前記表示スロットの配置構造は、表示画面のアスペクト比に基づいて特定される、
請求項８乃至請求項１２のいずれか１項に記載の装置。
【請求項１４】
前記商品棚の前記表示スロットの前記配置構造は：
前記表示画面の前記アスペクト比が第１比率範囲内である場合、前記表示スロットは３×３の９格子式矩形商品棚を用いて配置され；
前記表示画面の前記アスペクト比が第２比率範囲内である場合、前記表示スロットは２×４の８格子式矩形商品棚を用いて配置され；
前記表示画面の前記アスペクト比が前記第１比率範囲と前記第２比率範囲のいずれにも属さない場合、前記表示スロットは３×２の６格子式矩形商品棚を用いて配置される；との条件に基づいて特定され、前記第１比率範囲と前記第２比率範囲とは重複しない、
請求項１３に記載の装置。
【発明の詳細な説明】
【技術分野】
【０００１】
本願は、インターネット技術分野に関し、特に、商品棚にオンライン商品を表示する方法及び装置に関する。
【背景技術】
【０００２】
インターネット技術や端末デバイス技術の発展に伴い、多くの企業がネットワークを通じて自社の商品やサービスを販売している。電子商取引ウェブサイトや電子商取引アプリケーション（アプリ）では、運営者が商品棚にオンライン商品を表示し、ユーザの閲覧や購入を可能にする。
【０００３】
オンライン商品とは、実際の商品やサービスに対応する仮想商品であり、オンライン商品の属性には、名称、簡単な紹介、ロゴ、課金情報などが含まれる。商品棚とは、オンライン商品を表示する仮想インターフェースであり、ユーザにオンライン商品がどのように表示されるのかを記述する。商品棚は通常、数個の表示スロットを含み、各表示スロットが１つのオンライン商品を表示する。表示スロットの配置により形成される商品棚の種類も異なり、例えば表示スロットが３×３に配置されている９格子式矩形商品棚や、表示スロットが２×４に配置されている８格子式矩形商品棚などが形成される。
【０００４】
従来の技術では、電子商取引ウェブサイトや電子商取引アプリにおいて、全てのユーザに対して特定の商品棚を使用し、オンライン商品は、それぞれの優先度に基づき、商品棚の上から下、左から右へ順次表示されていた。例えば、３×３の９格子式矩形商品棚を用いる場合の、商品棚におけるオンライン商品の配置を図１に示す。ユーザがオンライン商品を検索するシナリオでは、ユーザの要請との合致度に基づいて、オンライン商品の優先度が特定される。ユーザニーズに最も合致するオンライン商品が商品棚の左上隅に表示されるが、この位置は、通常ユーザの注目をよく集める位置とは言い難い。このユーザニーズに最も合致するオンライン商品は無視され易いため、ユーザの検索結果の質にも影響を及ぼし、ユーザが必要なオンライン商品を得る効率を低下させてしまう。
【発明の概要】
【０００５】
これらの観点に基づき、本開示は、少なくとも２つの表示スロットを備え、各表示スロットが１つのオンライン商品を表示する、商品棚にオンライン商品を表示する方法であって：
表示待ちのオンライン商品と、前記オンライン商品の優先度とを取得するステップと；
前記商品棚の前記表示スロットの注目順位に基づき、優先度の高いオンライン商品を高い注目順位が付けられている位置の表示スロットに表示するステップであって、前記表示スロットの前記注目順位は、前記商品棚の視覚中心と表示スロットとの距離に基づいて特定され、前記商品棚の前記視覚中心は、商品棚表示領域の左上隅の黄金分割点である、優先度の高いオンライン商品を高い注目順位が付けられている位置の表示スロットに表示するステップと；を含む、商品棚にオンライン商品を表示する方法を提供するものである。
【０００６】
本開示はさらに、少なくとも２つの表示スロットを備え、各表示スロットが１つのオンライン商品を表示する、商品棚にオンライン商品を表示する装置であって：
表示待ちのオンライン商品と、前記オンライン商品の優先度とを取得する商品優先度取得部と；
前記商品棚の前記表示スロットの注目順位に基づき、優先度の高いオンライン商品を高い注目順位が付けられている位置の表示スロットに表示する商品表示部と；を含み、
前記表示スロットの前記注目順位は、前記商品棚の視覚中心と表示スロットとの距離に基づいて特定され、前記商品棚の前記視覚中心は、商品棚の表示領域の左上隅の黄金分割点である、商品棚にオンライン商品を表示する装置を提供するものである。
【０００７】
上述の技術的解決案から、本開示の実施の形態において、表示スロットの注目順位は商品棚の視覚中心と表示スロットとの距離に基づいて特定され、優先度の高いオンライン商品が、商品棚における高い注目順位が付けられた位置の表示スロットに表示されることが分かる。ユーザの検索シナリオに適用する場合、該技術的解決案は、ユーザの要請により合致するオンライン商品をユーザの注目をより集める位置に表示することができ、よって、ユーザは必要とするオンライン商品をより迅速に探し出すことができる。ユーザの検索効率が向上し、検索結果も改善される。
【図面の簡単な説明】
【０００８】
【図１】図１は、従来技術における、商品棚に表示されるオンライン商品の順位を示す概略図である。
【０００９】
【図２】図２は、矩形体の黄金分割点を示す概略図である。
【００１０】
【図３】図３は、本開示の実施の形態に係る、商品棚にオンライン商品を表示する方法を示すフローチャートである。
【００１１】
【図４】図４は、本開示の実施の形態に係る、９格子式矩形商品棚における表示スロットの注目順位の概略図である。
【００１２】
【図５】図５は、本開示の実施の形態に係る、８格子式矩形商品棚における表示スロットの注目順位の概略図である。
【００１３】
【図６】図６は、本開示の実施の形態に係る、６格子式矩形商品棚における表示スロットの注目順位の概略図である。
【００１４】
【図７】図７は、本開示の実施に適したデバイスのハードウェア構造図である。
【００１５】
【図８】図８は、本開示の実施の形態に係る、商品棚にオンライン商品を表示する装置の理論構造図である。
【発明を実施するための形態】
【００１６】
人間の視界とは、異なる中心を有して重なり合う二つの円における領域を指す。直視する場合、両眼の焦点は、両眼の視界の全長における２つの黄金分割点にその中心を置く。人間の眼が持つ生理学的特性のため、人が物体を見るとき、視線は通常、物体上の黄金分割比を満たす位置にまず行くことになる。
【００１７】
図２に示されるように、矩形状の観測対象につき、この矩形体における４つの角点を、それぞれＡ、Ｂ、Ｃ、Ｄと仮定する。２つの垂直分割線を、Ａ点から０．３８２×ＡＢの距離を有する線分ＡＢ上の位置、及びＡ点から０．６１８×ＡＢの距離を有する線分ＡＢ上の位置にそれぞれ引く。２つの水平分割線を、Ａ点から０．３８２×ＡＣの距離を有する線分ＡＣ上の位置、及びＡ点から０．６１８×ＡＣの距離を有する線分ＡＣ上の位置にそれぞれ引く。４つの分割線が成す４つの交差点が、この矩形体の４つの黄金分割点となる。より詳しくは、図２を参照されたい。人が矩形体を見るとき、視線は通常、左上隅の黄金分割点（図２のＦ点）にまず行くことになる。該点と矩形体の左縁との距離は０．３８２×ＡＢ、該点と矩形体の右縁との距離は０．６１８×ＡＢである。該点と矩形体の左縁との距離、及び該点と矩形体の右縁との距離の比である（０．３８２×ＡＢ）／（０．６１８×ＡＢ）は、黄金分割比の０．６１８と同じである。該点と矩形体の上縁との距離、及び該点と矩形体の下縁との距離の比もまた黄金分割比である。
【００１８】
商品棚は通常、矩形状の表示領域内においてユーザに表示される。ユーザが商品棚を見るとき、商品棚の矩形表示領域の左上隅にある黄金分割点が、一般的にユーザの初期視覚中心に当たる。従って、人間の眼の視覚特性に基づいて、優先度の高いオンライン商品をユーザの初期視覚中心に近い位置に置くことができるので、ユーザは、優先度の高いオンライン商品を優先的に認識するようになる。
【００１９】
本開示の実施の形態は、商品棚にオンライン商品を表示する新規の方法を提供する。商品棚の矩形表示領域の視覚中心と表示スロットとの距離に基づき、表示スロットの注目順位を生成する。オンライン商品が商品棚に表示されるとき、オンライン商品の優先度と表示スロットの注目順位との間でマッチングを行うため、ユーザは優先度の高いオンライン商品に最初に気付くことができる。該方法を検索シナリオに適用する場合、ユーザは検索結果をより迅速に得ることができる。これにより、ユーザの検索効率が向上し、従来技術における問題も解決できる。
【００２０】
電子商取引において、ユーザは、クライアントソフトウェアを操作することでサーバからオンライン商品の関連情報を取得し、該サーバとのインタラクション（交流）を介して、例えばオンライン商品の検索、オンライン商品の詳細の閲覧、発注、支払いなどの様々な取引関連機能を行うことができる。本開示の当該実施の形態において、クライアントソフトウェアとサーバは、ネットワークを通じて互いにアクセス可能である。クライアントソフトウェアは、携帯電話、タブレットコンピュータ、パーソナルコンピュータ（ＰＣ）、ノートパソコンなどの端末デバイス、或いは、物理サーバや論理サーバで実行させることができる。サーバは通常、物理サーバ又は論理サーバとして機能する。クライアント側又はサーバ側におけるデバイスの種類、並びにクライアントとサーバとを繋ぐ通信ネットワークの種類やプロトコルなどは、本開示の実施の形態において特に限定されない。
【００２１】
本開示のこの実施の形態において、商品棚にオンライン商品を表示する方法はクライアントソフトウェアに適用され、該方法の手順は図３に示されている。
【００２２】
ステップ３１０：表示待ちのオンライン商品及びそのオンライン商品の優先度を取得する。
【００２３】
クライアントソフトウェアがオンライン商品表示ページにアクセスする、例えば、クライアントソフトウェアがオンライン商品の検索結果ページにアクセスして、オンライン商品表示などへのリンクを開くと、サーバは、クライアントソフトウェアの要請に関連するオンライン商品と、該オンライン商品の優先度とを、クライアントソフトウェアに送信する。
【００２４】
優先度とは、サーバによって返信されるオンライン商品の重要度順位であると見なすことができる。異なるシナリオでは、サーバは通常、異なる順位付けの基準に基づいてオンライン商品の優先度を特定する。例えば、サーバはデータマイニング、機械学習、ビッグデータ分析に基づいて数学モデル（アルゴリズム）を確立し、確立した数学モデルをオンライン商品の重要度の順位付けに用いて、オンライン商品のクリック率や売上高を向上させる。別の例としてサーバは、ユーザの検索要請に応じて、ユーザの好みを分析し、確立した数学モデルを用いて、ユーザの好みとの合致度に基づき、ユーザの検索目的を満たすオンライン商品の重要度の順位付けを行う。サーバは、販売者が設定したオンライン商品のデフォルト順位をオンライン商品の優先度として用いることもできる。優先度の順位付けについては、従来技術を参照できる。詳細な説明は省略することとする。オンライン商品の優先度を特定する方法は、本開示のこの実施の形態に限定されない。
【００２５】
ステップ３２０：商品棚における表示スロットの注目順位に基づき、優先度の高いオンライン商品を、高い注目順位が付けられている位置の表示スロットに表示する。
【００２６】
表示スロットの注目順位は、表示スロットの配置構造が特定されている商品棚において、各表示スロットが注目を集める程度を記述するものである。高い注目順位が付けられている位置の表示スロットは、商品棚を見るユーザの目に、迅速且つ容易に入る。
【００２７】
本開示のこの実施の形態において、商品棚の表示領域の左上隅における黄金分割点は、商品棚の視覚中心と見なされる。該点と矩形体の上縁との距離、及び該点と表示領域の下縁との距離の比が黄金分割比であり、該点と表示領域の左縁との距離、及び該点と表示領域の右縁との距離の比もまた黄金分割比である。上述したように、ユーザが画面に表示された商品棚を見るとき、視線は通常、商品棚の視覚中心にまず行くことになり、商品棚の視覚中心に近いオンライン商品が最初にユーザの視線が到達可能な範囲内に入る可能性が高くなる。従って、本開示のこの実施の形態においては、表示スロットの注目順位は、商品棚の視覚中心と各表示スロットとの距離に基づいて特定される。
【００２８】
実際に適用するシナリオに基づいて、各表示スロットの矩形表示領域における固定点を選択することができ、商品棚の視覚中心と該固定点との距離を、商品棚の視覚中心と表示スロットとの距離として使用することができる。例えば、該固定点は、各表示スロットの左上頂点、各表示スロットの幾何中心（つまり、表示スロットの矩形表示領域における対角線２本の交点）、或いは各表示スロットの視覚中心であっても良い。
【００２９】
特定の構造を持つ商品棚における表示スロットの注目順位を特定するとき、商品棚の視覚中心と表示スロットとの距離の他にも、他の要因、例えば画面を見るときの習慣、視線を変更する順番などを考慮に入れて、ユーザの注目にこれらの要因が及ぼす影響を反映することができる。
【００３０】
実施の形態において、表示スロットの注目順位は、商品棚の視覚中心と表示スロットとの距離、並びに商品棚の前記表示スロットへの注目度に基づいて特定される。商品棚の前記表示スロットへの注目度は、ユーザの注目に対して考慮すべき要因が及ぼす客観的影響と、商品棚の表示スロットの位置とに基づいて特定される。例えば、ユーザの視認習慣が考慮すべき要因である場合、ユーザは通常、画面を左から右に見ることにより慣れているため、左側の表示スロットへの注目度は、右側の表示スロットへの注目度よりも高くなる。ユーザの視線移動を考慮に入れる場合、ユーザは通常、水平視線移動を垂直視線移動より多く行うため、左側の表示スロットへの注目度は、下側の表示スロットへの注目度よりも高くなる。
【００３１】
例えば、商品棚の表示スロットへの注目度は、実験データに基づいて取得することもできる。表示スロットの配置構造が特定されている商品棚において、各表示スロット上の同一又は異なるオンライン商品を観察するシーケンスにつき、数人の実験人員により実験を行い、実験データを得ても良い。該実験データは通常、ユーザの注目に対して様々な要因が及ぼす客観的影響を反映できる。実験データを得た後、各表示スロットの第１基準値を、商品棚の視覚中心と表示スロットとの距離に基づいて特定する。商品棚の表示スロットへの注目度の実験データに基づいて、各表示スロットの第２基準値を取得する。各表示スロットの第１基準値と第２基準値との加重和に基づいて表示スロットの順位付けを行い、表示スロットの注目順位を特定する。
【００３２】
第１基準値は、商品棚の視覚中心と表示スロットとの距離そのもの、又は該距離の関数であっても良く、或いは、商品棚の視覚中心と表示スロットとの距離に基づいて得た第１順位であっても良い。第２基準値は、実験データに基づいて得た値であっても良く、該値に基づいた表示スロットの第２順位であっても良い。第１基準値と第２基準値に対する重み設定は、実際に適用するシナリオに基づいて選択することができる。第１基準値及び第２基準値の形式や重み設定は、本開示のこのような実施の形態には限定されない。
【００３３】
実際に適用するシナリオにおいて、商品棚の表示スロットの注目順位は、クライアントソフトウェアで特定しても良く、或いは、サーバで特定しても良い。例えば、クライアントソフトウェアで用いる商品棚に一つ以上の表示スロットの配置構造が固定的に設定されている場合、クライアントソフトウェアは、インストール中に、表示スロットの注目順位として様々な種類の順位を算出・格納することができる。この様々な種類の順位は、使用の度にそのまま呼び出しても良く、使用に対応するものを１つのみ呼び出しても良い。クライアントソフトウェアで用いられる商品棚の表示スロットの配置がよく変わる場合、クライアントソフトウェアは、毎回使用前に使用待ちの商品棚における表示スロットの注目順位を算出することができる。別の例として、最初にサーバが、クライアントソフトウェアから用いられ得る幾つかの商品棚における表示スロットの注目順位を算出することもできる。サーバは、該注目順位をクライアントソフトウェアに配信し、クライアントソフトウェアは、使用中に、商品棚に対応する表示スロットの注目順位を呼び出す。クライアントソフトウェアへ表示待ちのオンライン商品を送信するとき、サーバは、これらのオンライン商品を表示する商品棚の表示スロットの注目順位を特定することができる。
【００３４】
従来技術では通常、電子商取引ウェブサイトや電子商取引アプリにおいて、クライアントソフトウェアの商品棚の全てに対して、表示スロットの定められた配置構造が用いられる。クライアントソフトウェアを実施するクライアントデバイスのタイプが増えるほど、クライアントデバイスの表示タイプも変化する。あるディスプレイに適した表示スロットの配置構造は、他のディスプレイでは表示効果を発揮できない可能性がある。
【００３５】
このような事態を避けるために、本開示のこの実施の形態では、商品棚における表示スロットの配置構造を、表示画面のアスペクト比に基づいて特定する。表示画面のアスペクト比とは、表示画面の幅と高さの比であり、一般的なアスペクト比は、４：３（１．３３）、１６：９（１．７８）、１６：１０（１．６）などである。
【００３６】
表示画面のアスペクト比が一定の範囲内であると、表示スロットの配置構造が同じである商品棚は、同様の表示効果が得られる。従って、一定の範囲内に収まるアスペクト比を持つ表示画面は、所定の配置構造の商品棚に対応することになる。例えば、表示画面のアスペクト比が第１比率範囲内である場合、３×３の９格子式矩形商品棚を用いて表示スロットを配置する。表示画面のアスペクト比が第２比率範囲内である場合、２×４の８格子式矩形商品棚を用いて表示スロットを配置する。表示画面のアスペクト比が第１比率範囲と第２比率範囲のいずれにも属さない場合は、３×２の６格子式矩形商品棚を用いて表示スロットを配置する。ここで、第１比率範囲と第２比率範囲とは重複しない。
【００３７】
実際の応用シナリオでは、商品棚における表示スロットの配置構造は、クライアントソフトウェアで特定されても良く、或いはサーバで特定されても良い。例えば、クライアントソフトウェアのインストールプロセス中に、インストールプログラムが、クライアントソフトウェアを含むデバイスの表示画面に適する表示スロットの配置構造を選択・記憶し、クライアントソフトウェアがオンライン商品を表示する配置構造を直接使用する。或いは、商品棚の使用の度に、前もってクライアントソフトウェアが自デバイスの表示画面のアスペクト比に基づいて表示スロットの配置構造を特定する。別の例として、クライアントソフトウェアがサーバとの接続を確立させるか、サーバからオンライン商品を要請するとき、クライアントソフトウェアは、自デバイスの表示画面に関する情報（解像度やアスペクト比など）を報告する。オンライン商品を送信するとき、サーバは、クライアントソフトウェアに用いられる商品棚における表示スロットの配置構造を特定することができる。
【００３８】
本開示のこの実施の形態において、表示スロットの注目順位は、商品棚の矩形表示領域の視覚中心と表示スロットとの距離に基づいて生成されることが分かる。オンライン商品が表示されると、優先度の高いオンライン商品は、高い注目順位が付けられている位置の表示スロットに配置される。該方法を検索シナリオに適用する場合、ユーザは、ユーザの注目をより集める位置から、ユーザの要請により合致するオンライン商品を認識できるので、ユーザは検索結果をより迅速に取得することができ、それに伴い、ユーザの検索効率も向上する。
【００３９】
本開示の実施の形態では、表示スロットの配置構造が異なる商品棚における、表示スロットの注目順位の３種が、クライアントソフトウェアで予め特定されている。各配置構造における表示スロットの注目順位は、次の方法で生成される。まず、商品棚の視覚中心と表示スロットの幾何中心との距離に基づいて表示スロットの順位付けを行い、各表示スロットの第１順位を得る。商品棚の表示スロットへの注目度の実験データに基づいて、各表示スロットの第２順位を得る。各表示スロットの第１順位と第２順位との加重和に基づいて表示スロットの順位付けを行い、表示スロットの注目順位を取得する。
【００４０】
図４に示されているように、第１商品棚は、表示スロットが３×３で配置され、表示スロットに対して、１行２列の表示スロット、２行２列の表示スロット、３行２列の表示スロット、１行１列の表示スロット、１行３列の表示スロット、２行１列の表示スロット、２行３列の表示スロット、３行１列の表示スロット、３行３列の表示スロットの順で降順に注目度の順位付けが行われる、９格子式矩形商品棚である。
【００４１】
図５に示されているように、第２商品棚は、表示スロットが２×４で配置され、表示スロットに対して、１行２列の表示スロット、１行３列の表示スロット、２行２列の表示スロット、２行３列の表示スロット、１行１列の表示スロット、１行４列の表示スロット、２行１列の表示スロット、２行４列の表示スロットの順で降順に注目度の順位付けが行われる、８格子式矩形商品棚である。
【００４２】
図６に示されているように、第３商品棚は、表示スロットが３×２で配置され、表示スロットに対して、１行１列の表示スロット、１行２列の表示スロット、２行１列の表示スロット、２行２列の表示スロット、３行１列の表示スロット、３行２列の表示スロットの順で降順に注目度の順位付けが行われる、６格子式矩形商品棚である。
【００４３】
クライアントソフトウェアがオンライン商品を表示するページにアクセスすると、クライアントソフトウェアに、表示待ちのオンライン商品と、該オンライン商品の優先度とがサーバから配信される。
【００４４】
クライアントソフトウェアは、デバイスの表示画面の解像度を読み取り、表示画面のアスペクト比を算出し（つまり、表示画面の幅を高さで割る）、表１に基づいて商品棚における表示スロットの配置構造を特定する。
【表１】
2019500697.tif 000003
【００４５】
使用待ちの商品棚における表示スロットの配置構造を特定した後、クライアントソフトウェアは、配置構造に対応する表示スロットの一の注目順位に基づき、最も高い注目順位が付けられている位置の表示スロットに優先度が最も高いオンライン商品を表示し、２番目に高い注目順位が付けられている位置の表示スロットに優先度が２番目に高いオンライン商品を表示し、以後、同様に行う。
【００４６】
サーバから配信されるオンライン商品の数が表示スロットの数を超えた場合、ユーザがページをめくった後、次のページのオンライン商品も、上述した方法を適用し、表示スロットの注目順位とオンライン商品の優先度とに基づいて表示される。
【００４７】
上述した手順に対応し、本開示の実施の形態は、商品棚にオンライン商品を表示する装置を更に提供することができる。該装置は、ソフトウェア、ハードウェア、又はハードウェアとソフトウェアの組み合わせにより実装される。当該装置をソフトウェアにより実装する一例では、中央処理装置（ＣＰＵ）が対応のコンピュータプログラム命令を実行するためにメモリに読み取ると、論理デバイスとしての装置が形成される。ハードウェア的に、商品棚にオンライン商品を表示する装置を含むデバイスは、図７に示されているＣＰＵ、メモリ、不揮発性メモリの他にも、通常、無線信号を送受信するチップなどその他のハードウェア、或いは、ネットワーク通信機能を実装するボードなどその他のハードウェアを更に含む。
【００４８】
図８は、本開示の実施の形態に係る、商品棚にオンライン商品を表示する装置を示す。商品棚は少なくとも２つの表示スロットを含み、各表示スロットが１つのオンライン商品を表示する。該装置は、商品優先度取得部と、商品表示部とを備える。商品優先度取得部は、表示待ちのオンライン商品と、該オンライン商品の優先度とを取得する。商品表示部は、商品棚の表示スロットの一の注目順位に基づき、高い注目順位が付けられている位置の表示スロットに優先度の高いオンライン商品を表示する。表示スロットの注目順位は、商品棚の視覚中心と表示スロットとの距離に基づいて特定される。商品棚の視覚中心は、商品棚の表示領域の左上隅の黄金分割点である。
【００４９】
実施の形態において、表示スロットの注目順位は、商品棚の視覚中心と表示スロットとの距離、並びに商品棚の表示スロットへの注目度に基づいて特定される。
【００５０】
上述した実施の形態において、表示スロットの注目順位は、次の方法で特定される。まずは、商品棚の視覚中心と表示スロットとの距離に基づいて各表示スロットの第１基準値を特定する。商品棚の表示スロットへの注目度の実験データに基づいて各表示スロットの第２基準値を取得する。各表示スロットに対する第１基準値と第２基準値との加重和に基づいて表示スロットの順位付けを行って、表示スロットの注目順位を特定する。
【００５１】
商品棚は、表示スロットが３×３で配置され、表示スロットに対して、１行２列の表示スロット、２行２列の表示スロット、３行２列の表示スロット、１行１列の表示スロット、１行３列の表示スロット、２行１列の表示スロット、２行３列の表示スロット、３行１列の表示スロット、３行３列の表示スロットの順で降順に注目度の順位付けが行われる、９格子式矩形商品棚；表示スロットが２×４で配置され、表示スロットに対して、１行２列の表示スロット、１行３列の表示スロット、２行２列の表示スロット、２行３列の表示スロット、１行１列の表示スロット、１行４列の表示スロット、２行１列の表示スロット、２行４列の表示スロットの順で降順に注目度の順位付けが行われる、８格子式矩形商品棚；及び／又は、表示スロットが３×２で配置され、表示スロットに対して、１行１列の表示スロット、１行２列の表示スロット、２行１列の表示スロット、２行２列の表示スロット、３行１列の表示スロット、３行２列の表示スロットの順で降順に注目度の順位付けが行われる、６格子式矩形商品棚を備える。
【００５２】
必要に応じて、商品棚の視覚中心と表示スロットとの距離は、商品棚の視覚中心と表示スロットの幾何中心との距離を含む。
【００５３】
一例において、商品棚の表示スロットの配置構造は、表示画面のアスペクト比に基づいて特定される。
【００５４】
上述した実施例において、商品棚の表示スロットの配置構造は、表示画面のアスペクト比が第１比率範囲内である場合、表示スロットは３×３の９格子式矩形商品棚を用いて配置され、表示画面のアスペクト比が第２比率範囲内である場合、表示スロットは２×４の８格子式矩形商品棚を用いて配置され、表示画面のアスペクト比が第１比率範囲と第２比率範囲のいずれにも属さない場合、表示スロットは３×２の６格子式矩形商品棚を用いて配置されるとの条件に基づいて特定される。第１比率範囲と第２比率範囲とは重複しない。
【００５５】
本明細書に記載したものは、本開示の実施の形態のうちの好ましい態様に過ぎず、本開示の範囲を限定するためのものではない。本開示の趣旨及び原則から逸脱しない限り、本開示に対する変形、同等物への置き換え、改良は全て、本開示の保護範囲に属するものと見なすべきである。
【００５６】
典型的な構成では、コンピュータ装置は、１つまたは複数の中央演算装置（ＣＰＵｓ）、入力／出力インターフェイス、ネットワークインターフェイス、及びメモリを含む。
【００５７】
メモリは、非永続性メモリ、ランダムアクセスメモリ（ＲＡＭ）、及び／又は、コンピュータで読み出せる不揮発性メモリ、例えば、リードオンリーメモリ（ＲＯＭ）又はフラッシュメモリ（ｆｌａｓｈ  ＲＡＭ）を含む。このメモリは、コンピュータ読み取り可能な媒体の一例である。
【００５８】
コンピュータ読み取り可能な媒体は、任意の方法又は技術を用いて情報を記憶する永続的、非永続的、可動式、及び固定式の媒体を含む。情報は、コンピュータ読み取り可能な命令、データ構造、プログラムモジュール、又はその他のデータであってよい。コンピュータ記憶媒体の例として、相変化メモリ（ＰＣＭ）、静的ランダムアクセスメモリ（ＳＲＡＭ）、動的ランダムアクセスメモリ（ＤＲＡＭ）、若しくは別タイプのランダムアクセスメモリ（ＲＡＭ）、読み取り専用メモリ（ＲＯＭ）、電気的消去ができる読み取り専用メモリ（ＥＥＰＲＯＭ）、フラッシュメモリ、若しくは別のメモリ技術、コンパクトディスク−リードオンリーメモリ（ＣＤ−ＲＯＭ）、デジタル多用途ディスク（ＤＶＤ）、若しくは別の光学記憶装置、カセット、テープ、ディスクメモリ、若しくは別の磁気記憶デバイス、又は、コンピュータデバイスがアクセスできる情報を記憶するために用いられる別の非伝送媒体があるが、これらに限定されない。本明細書での定義によれば、コンピュータ読み取り可能な媒体には、変調したデータ信号やキャリアのような、コンピュータで読み取り可能な一時的な媒体（ｔｒａｎｓｉｔｏｒｙ  ｍｅｍｏｒｙ）は含まれない。
【００５９】
用語「含む」「包含する」、又はその何らかの他の変形体は、非排他的な包含を網羅するものとし、要素のリストを含む工程、方法、物品若しくはデバイスは、これらの要素のみを含むのではなく、明示的列挙されてはいない他の要素を含む、又は、係る工程、方法、物品又はデバイスに固有な他の要素を更に含むことにも留意することが重要である。「１つの〜を含む」と定義された要素は、更なる制約なしに、この要素を含む工程、方法、物品又はデバイスにおける別の同一の要素を更に含むことを排除しない。
【００６０】
当業者は、本願の実施の形態を、方法、システム、コンピュータプログラム製品として提供できることを理解するはずである。そのため、本願は、ハードウェアのみの実施の形態、ソフトウェアのみの実施の形態、又は、ソフトウェアとハードウェアを組み合わせた実施の形態を用いることができる。更に、本願は、コンピュータで使用できるプログラムコードを含む１つ以上のコンピュータで使用できる記憶媒体（磁気ディスクメモリ、ＣＤ−ＲＯＭ、光学メモリ等を含むが、これらに限定されない）上で実施されるコンピュータプログラム製品の形態を用いることができる。
【図１】
2019500697.tif 000004
【図２】
2019500697.tif 000005
【図３】
2019500697.tif 000006
【図４】
2019500697.tif 000007
【図５】
2019500697.tif 000008
【図６】
2019500697.tif 000009
【図７】
2019500697.tif 000010
【図８】
2019500697.tif 000011
【手続補正書】
【提出日】平成30年8月14日(2018.8.14)
【手続補正１】
【補正対象書類名】特許請求の範囲
【補正対象項目名】全文
【補正方法】変更
【補正の内容】
【特許請求の範囲】
【請求項１】
オンライン商品を表示する方法であって：
少なくとも２つの表示スロットを備え、各表示スロットが１つのオンライン商品を表示する商品棚への表示待ちのオンライン商品を取得するステップ（３１０）と；
前記オンライン商品の優先度を取得するステップ（３１０）と；
前記商品棚の前記表示スロットの一の注目順位に基づく注目順位位置をそれぞれ有する表示スロットに、優先度に基づいてオンライン商品を表示するステップであって、前記表示スロットの前記注目順位は、前記商品棚の視覚中心と表示スロットとの距離に基づいて特定され、前記商品棚の前記視覚中心は、商品棚表示領域の左上隅の黄金分割点である、優先度に基づいてオンライン商品を表示するステップ（３２０）と；を備える、
オンライン商品を表示する方法。
【請求項２】
前記表示スロットの前記注目順位は、前記商品棚の前記視覚中心と前記表示スロットとの距離、並びに前記商品棚の前記表示スロットへの注目度に基づいて特定される、
請求項１に記載の方法。
【請求項３】
前記表示スロットの前記注目順位は：
前記商品棚の前記視覚中心と前記表示スロットとの距離に基づいて各表示スロットの第１基準値を特定するステップと；
前記商品棚の前記表示スロットへの注目度の実験データに基づいて各表示スロットの第２基準値を取得するステップと；
各表示スロットに対する前記第１基準値と前記第２基準値との加重和に基づいて前記表示スロットの順位付けを行うステップと；により特定される、
請求項２に記載の方法。
【請求項４】
前記商品棚は、
前記表示スロットが３×３で配置され、前記表示スロットに対して、１行２列の表示スロット、２行２列の表示スロット、３行２列の表示スロット、１行１列の表示スロット、１行３列の表示スロット、２行１列の表示スロット、２行３列の表示スロット、３行１列の表示スロット、３行３列の表示スロットの順で降順に注目度の順位付けが行われる、９格子式矩形商品棚；
前記表示スロットが２×４で配置され、前記表示スロットに対して、１行２列の表示スロット、１行３列の表示スロット、２行２列の表示スロット、２行３列の表示スロット、１行１列の表示スロット、１行４列の表示スロット、２行１列の表示スロット、２行４列の表示スロットの順で降順に注目度の順位付けが行われる、８格子式矩形商品棚；又は
前記表示スロットが３×２で配置され、前記表示スロットに対して、１行１列の表示スロット、１行２列の表示スロット、２行１列の表示スロット、２行２列の表示スロット、３行１列の表示スロット、３行２列の表示スロットの順で降順に注目度の順位付けが行われる、６格子式矩形商品棚；を備える、
請求項２に記載の方法。
【請求項５】
前記商品棚の前記視覚中心と前記表示スロットとの距離は、前記商品棚の前記視覚中心と前記表示スロットの幾何中心との距離からなる、
請求項１に記載の方法。
【請求項６】
前記商品棚の前記表示スロットは、表示画面のアスペクト比に基づいて特定される配置構造を備える、
請求項１乃至請求項５のいずれか１項に記載の方法。
【請求項７】
前記商品棚の前記表示スロットの前記配置構造は：
前記表示画面の前記アスペクト比が第１比率範囲内であれば、前記表示スロットは３×３の９格子式矩形商品棚を用いて配置され；
前記表示画面の前記アスペクト比が第２比率範囲内であれば、前記表示スロットは２×４の８格子式矩形商品棚を用いて配置され；
前記表示画面の前記アスペクト比が前記第１比率範囲と前記第２比率範囲のいずれにも属さなければ、前記表示スロットは３×２の６格子式矩形商品棚を用いて配置される；との条件に基づいて特定され、前記第１比率範囲と前記第２比率範囲とは重複しない、
請求項６に記載の方法。
【請求項８】
前記優先度は、データマイニングアルゴリズム、機械学習アルゴリズム、及びビッグデータ分析アルゴリズムのうちの少なくとも１つを使用して特定される、
請求項１乃至請求項７のいずれか１項に記載の方法。
【請求項９】
前記優先度は、ユーザの検索によって示されるユーザの好みに基づいて特定される、
請求項１乃至請求項８のいずれか１項に記載の方法。
【請求項１０】
請求項１乃至請求項９のいずれか１項に記載の方法を実行するように構成された複数のモジュールを備える、
オンライン商品を表示する装置。
【手続補正２】
【補正対象書類名】明細書
【補正対象項目名】００６０
【補正方法】変更
【補正の内容】
【００６０】
当業者は、本願の実施の形態を、方法、システム、コンピュータプログラム製品として提供できることを理解するはずである。そのため、本願は、ハードウェアのみの実施の形態、ソフトウェアのみの実施の形態、又は、ソフトウェアとハードウェアを組み合わせた実施の形態を用いることができる。更に、本願は、コンピュータで使用できるプログラムコードを含む１つ以上のコンピュータで使用できる記憶媒体（磁気ディスクメモリ、ＣＤ−ＲＯＭ、光学メモリ等を含むが、これらに限定されない）上で実施されるコンピュータプログラム製品の形態を用いることができる。
以下、本発明の実施の態様の例を列挙する。
［第１の局面］
少なくとも２つの表示スロットを備え、各表示スロットが１つのオンライン商品を表示する、商品棚にオンライン商品を表示する方法であって：
表示待ちのオンライン商品と、前記オンライン商品の優先度とを取得するステップと；
前記商品棚の前記表示スロットの注目順位に基づき、優先度の高いオンライン商品を高い注目順位が付けられている位置の表示スロットに表示するステップであって、前記表示スロットの前記注目順位は、前記商品棚の視覚中心と表示スロットとの距離に基づいて特定され、前記商品棚の前記視覚中心は、商品棚表示領域の左上隅の黄金分割点である、優先度の高いオンライン商品を高い注目順位が付けられている位置の表示スロットに表示するステップと；を備える、
商品棚にオンライン商品を表示する方法。
［第２の局面］
前記表示スロットの前記注目順位は、前記商品棚の前記視覚中心と前記表示スロットとの距離、並びに前記商品棚の前記表示スロットへの注目度に基づいて特定される、
第１の局面に記載の方法。
［第３の局面］
前記表示スロットの前記注目順位は：
前記商品棚の前記視覚中心と前記表示スロットとの距離に基づいて各表示スロットの第１基準値を特定するステップと；
前記商品棚の前記表示スロットへの注目度の実験データに基づいて各表示スロットの第２基準値を取得するステップと；
各表示スロットに対する前記第１基準値と前記第２基準値との加重和に基づいて前記表示スロットの順位付けを行うステップと；により特定される、
第２の局面に記載の方法。
［第４の局面］
前記商品棚は、
前記表示スロットが３×３で配置され、前記表示スロットに対して、１行２列の表示スロット、２行２列の表示スロット、３行２列の表示スロット、１行１列の表示スロット、１行３列の表示スロット、２行１列の表示スロット、２行３列の表示スロット、３行１列の表示スロット、３行３列の表示スロットの順で降順に注目度の順位付けが行われる、９格子式矩形商品棚；
前記表示スロットが２×４で配置され、前記表示スロットに対して、１行２列の表示スロット、１行３列の表示スロット、２行２列の表示スロット、２行３列の表示スロット、１行１列の表示スロット、１行４列の表示スロット、２行１列の表示スロット、２行４列の表示スロットの順で降順に注目度の順位付けが行われる、８格子式矩形商品棚；及び／又は
前記表示スロットが３×２で配置され、前記表示スロットに対して、１行１列の表示スロット、１行２列の表示スロット、２行１列の表示スロット、２行２列の表示スロット、３行１列の表示スロット、３行２列の表示スロットの順で降順に注目度の順位付けが行われる、６格子式矩形商品棚；を備える、
第２の局面に記載の方法。
［第５の局面］
前記商品棚の前記視覚中心と前記表示スロットとの距離は、前記商品棚の前記視覚中心と前記表示スロットの幾何中心との距離からなる、
第１の局面に記載の方法。
［第６の局面］
前記商品棚の前記表示スロットの配置構造は、表示画面のアスペクト比に基づいて特定される、
第１乃至５の局面のいずれかに記載の方法。
［第７の局面］
前記商品棚の前記表示スロットの前記配置構造は：
前記表示画面の前記アスペクト比が第１比率範囲内である場合、前記表示スロットは３×３の９格子式矩形商品棚を用いて配置され；
前記表示画面の前記アスペクト比が第２比率範囲内である場合、前記表示スロットは２×４の８格子式矩形商品棚を用いて配置され；
前記表示画面の前記アスペクト比が前記第１比率範囲と前記第２比率範囲のいずれにも属さない場合、前記表示スロットは３×２の６格子式矩形商品棚を用いて配置される；との条件に基づいて特定され、前記第１比率範囲と前記第２比率範囲とは重複しない、
第６の局面に記載の方法。
［第８の局面］
少なくとも２つの表示スロットを備え、各表示スロットが１つのオンライン商品を表示する、商品棚にオンライン商品を表示する装置であって：
表示待ちのオンライン商品と、前記オンライン商品の優先度とを取得する商品優先度取得部と；
前記商品棚の前記表示スロットの注目順位に基づき、優先度の高いオンライン商品を高い注目順位が付けられている位置の表示スロットに表示する商品表示部と；を備え、
前記表示スロットの前記注目順位は、前記商品棚の視覚中心と表示スロットとの距離に基づいて特定され、前記商品棚の前記視覚中心は、商品棚の表示領域の左上隅の黄金分割点である、
商品棚にオンライン商品を表示する装置。
［第９の局面］
前記表示スロットの前記注目順位は、前記商品棚の前記視覚中心と前記表示スロットとの距離、並びに前記商品棚の前記表示スロットへの注目度に基づいて特定される、
第８の局面に記載の装置。
［第１０の局面］
前記表示スロットの前記注目順位は：
前記商品棚の前記視覚中心と前記表示スロットとの距離に基づいて各表示スロットの第１基準値を特定し；
前記商品棚の前記表示スロットへの注目度の実験データに基づいて各表示スロットの第２基準値を取得し；
各表示スロットに対する前記第１基準値と前記第２基準値との加重和に基づいて前記表示スロットを順位付けする；ことにより特定される、
第９の局面に記載の装置。
［第１１の局面］
前記商品棚は：
前記表示スロットが３×３で配置され、前記表示スロットに対して、１行２列の表示スロット、２行２列の表示スロット、３行２列の表示スロット、１行１列の表示スロット、１行３列の表示スロット、２行１列の表示スロット、２行３列の表示スロット、３行１列の表示スロット、３行３列の表示スロットの順で降順に注目度の順位付けが行われる、９格子式矩形商品棚；
前記表示スロットが２×４で配置され、前記表示スロットに対して、１行２列の表示スロット、１行３列の表示スロット、２行２列の表示スロット、２行３列の表示スロット、１行１列の表示スロット、１行４列の表示スロット、２行１列の表示スロット、２行４列の表示スロットの順で降順に注目度の順位付けが行われる、８格子式矩形商品棚；及び／又は
前記表示スロットが３×２で配置され、前記表示スロットに対して、１行１列の表示スロット、１行２列の表示スロット、２行１列の表示スロット、２行２列の表示スロット、３行１列の表示スロット、３行２列の表示スロットの順で降順に注目度の順位付けが行われる、６格子式矩形商品棚；を備える、
第９の局面に記載の装置。
［第１２の局面］
前記商品棚の前記視覚中心と前記表示スロットとの距離は、前記商品棚の前記視覚中心と前記表示スロットの幾何中心との距離からなる、
第８の局面に記載の装置。
［第１３の局面］
前記商品棚の前記表示スロットの配置構造は、表示画面のアスペクト比に基づいて特定される、
第８乃至１２の局面のいずれかに記載の装置。
［第１４の局面］
前記商品棚の前記表示スロットの前記配置構造は：
前記表示画面の前記アスペクト比が第１比率範囲内である場合、前記表示スロットは３×３の９格子式矩形商品棚を用いて配置され；
前記表示画面の前記アスペクト比が第２比率範囲内である場合、前記表示スロットは２×４の８格子式矩形商品棚を用いて配置され；
前記表示画面の前記アスペクト比が前記第１比率範囲と前記第２比率範囲のいずれにも属さない場合、前記表示スロットは３×２の６格子式矩形商品棚を用いて配置される；との条件に基づいて特定され、前記第１比率範囲と前記第２比率範囲とは重複しない、
第１３の局面に記載の装置。
【国際調査報告】
2019500697.tif 000012
2019500697.tif 000013
2019500697.tif 000014
2019500697.tif 000015